(57)【要約】  受信されるべき信号および送信されるべき信号に対応する帯域およびモードに従って制御情報を生成する制御ユニットと、その制御情報に従って、対応する帯域の伝搬パスにスイッチングして対応する信号を転送する帯域スイッチング・ユニットと、その制御情報に従って、対応するモードの伝搬パスにスイッチングして、対応する帯域および対応するモードの伝搬パスで信号を送信するモード・スイッチング・ユニットと、対応するモードの伝搬パスから転送された信号を対応する帯域でＲＦ処理し、転送されるべき信号を対応する帯域でＲＦ処理し、次いでそれらを対応するモードの伝搬パスに転送するＲＦ処理ユニットと、ＲＦ処理ユニットからのＲＦ信号をベースバンド信号に変換し、転送されるべきベースバンド信号をＲＦ処理ユニットに転送するベースバンド処理ユニットとを備える、ワイヤレス通信システムにおける移動端末。この移動端末は、マルチモードおよびマルチバンドの通信システムで動作モードおよび帯域を柔軟に選択することができる。
2007502083.tif 000002
【特許請求の範囲】
【請求項１】
受信されるべき信号および送信されるべき信号に対応する帯域に従って制御情報を生成する制御ユニットと、
前記制御情報に従って、前記対応する帯域の伝搬パスにスイッチングして対応する信号を転送する帯域スイッチング・ユニットと、
前記制御情報に従って、前記対応する帯域の伝搬パスを介して転送された受信された信号をＲＦ処理し、前記送信されるべき信号をＲＦ処理し、次いで処理済みの信号を前記帯域スイッチング・ユニットを介して送信するＲＦ処理ユニットと、
前記制御情報に従って、前記ＲＦ処理ユニットからのＲＦ信号をベースバンド信号に変換し、ＲＦ処理を完了するために送信されるべきベースバンド信号を前記ＲＦ処理ユニットに転送するベースバンド処理ユニットとを備える、ワイヤレス通信システムにおける移動端末。
【請求項２】
前記ＲＦ処理ユニットが、
前記帯域スイッチング・ユニットを介して前記ＲＦ信号を送信するために、前記ベースバンド処理ユニットからの送信されるべき信号をＲＦ処理するＴｘ（送信）信号処理モジュールと、
前記対応する帯域の伝搬パスを介して転送された受信された信号をＲＦ処理する、異なる帯域に対応する複数のＲｘ（受信）ＲＦ処理ユニットと、
前記制御情報に従って、前記対応する帯域の前記Ｒｘ  ＲＦ処理ユニットからのＲＦ信号を受信するＲｘ（受信）帯域スイッチング・ユニットと、
前記制御情報に従って、前記Ｒｘ帯域スイッチング・ユニットからのＲＦ信号を復調し、復調された信号を前記ベースバンド処理ユニットに出力する復調モジュールとを備える、請求項１記載の移動端末。
【請求項３】
前記Ｔｘ信号処理モジュールが、
前記制御情報に従って、前記ベースバンド処理ユニットからの送信されるべき信号をＲＦ信号に変調する変調モジュールと、
前記制御情報に従って、変調された信号を対応する帯域の送信パスにスイッチングするＴｘ（送信）帯域スイッチング・ユニットと、
前記帯域スイッチング・ユニットから前記ＲＦ信号を送信するために、前記Ｔｘ帯域スイッチング・ユニットからの前記変調された信号を対応する帯域でＲＦ処理する、異なる帯域に対応する複数のＴｘ（送信）ＲＦ処理ユニットとを備える、請求項２記載の移動端末。
【請求項４】
受信されるべき信号および送信されるべき信号に対応する帯域に従って制御情報を生成する制御ユニットと、
前記制御情報に従って、前記対応する帯域の伝搬パスにスイッチングして対応する信号を転送する帯域スイッチング・ユニットと、
前記帯域スイッチング・ユニットから転送された受信された信号をＲＦ処理し、前記帯域スイッチング・ユニットからＲＦ信号を送信するために、前記制御情報に従って、送信されるべき信号を対応する帯域でＲＦ処理するＲＦ処理ユニットと、
前記制御情報に従って、前記ＲＦ処理ユニットからのＲＦ信号をベースバンド信号に変換し、送信されるべきベースバンド信号をＲＦ処理用のＲＦ処理ユニットに転送するベースバンド処理ユニットとを備える、ワイヤレス通信システムにおける移動端末。
【請求項５】
前記ＲＦ処理ユニットが、
前記帯域スイッチング・ユニットから転送された前記受信された信号をＲＦ処理して、前記受信された信号を前記ベースバンド処理ユニットに入力するＲｘ（受信）信号処理モジュールと、
前記制御情報に従って、前記ベースバンド処理ユニットからの送信されるべき信号をＲＦ信号に変調する変調モジュールと、
前記制御情報に従って、変調された信号を前記対応する帯域の送信パスにスイッチングするＴｘ帯域スイッチング・ユニットと、
前記帯域スイッチング・ユニットから前記ＲＦ信号を送信するために、前記Ｔｘ帯域スイッチング・ユニットからの前記変調された信号を対応する帯域でＲＦ処理する、異なる帯域に対応する複数のＴｘ  ＲＦ処理ユニットとを備える、請求項４記載の移動端末。
【請求項６】
前記Ｒｘ信号処理モジュールが、
前記対応する帯域の伝搬パスから転送された信号をＲＦ処理する、異なる帯域に対応する複数のＲｘ  ＲＦ処理ユニットと、
前記制御情報に従って、対応する帯域の前記Ｒｘ  ＲＦ処理ユニットからのＲＦ信号を受信するＲｘ帯域スイッチング・ユニットと、
前記制御情報に従って、前記Ｒｘ帯域スイッチング・ユニットからのＲＦ信号を復調し、復調された信号を前記ベースバンド処理ユニットに出力する復調モジュールとを備える、請求項５記載の移動端末。
【請求項７】
前記制御ユニットが、受信されるべき信号および送信されるべき信号に基づき対応するモードの制御情報を生成する移動端末であって、
前記制御情報に従って、対応する信号を前記帯域スイッチング・ユニットと前記ＲＦ処理ユニットとの間で転送するために、前記対応する帯域の伝搬パスを前記対応するモードの伝搬パスにスイッチングするモード・スイッチング・ユニットをさらに備える、請求項１から６のいずれか１項記載の移動端末。
【請求項８】
前記モード・スイッチング・ユニットが、
前記制御情報に従って、前記対応する帯域の伝搬パスを前記対応するモードの伝搬パスにスイッチングする、対応する帯域のモード・スイッチング・ユニットと、
前記制御情報に従って、対応する信号を前記帯域スイッチング・ユニットと前記ＲＦ処理ユニットとの間で転送するために、前記対応するモードの伝搬パスからの前記対応する信号を前記対応するモードで処理する複数のモードＴＲｘ（送受信）処理ユニットとを備える、請求項７記載の移動端末。
【請求項９】
前記複数のモードＴＲｘ処理ユニットが、少なくともＴＤＤモードＴＲｘスイッチング・ユニットとＦＤＤモード二重ユニットとを含む、請求項８記載の移動端末。
【請求項１０】
受信されるべき信号および送信されるべき信号に対応するモードに従って制御情報を生成する制御ユニットと、
前記制御情報に従って、前記対応するモードの伝搬パスにスイッチングして対応する信号を送信するモード・スイッチング・ユニットと、
前記対応するモードの伝搬パスから転送された受信された信号をＲＦ処理し、送信されるべきＲＦ信号をＲＦ処理し、次いで前記対応するモードの伝搬パスからの前記ＲＦ信号を送信するＲＦ処理ユニットと、
前記ＲＦ処理ユニットからのＲＦ信号をベースバンド信号に変換し、送信されるべきベースバンド信号をＲＦ処理用のＲＦ処理ユニットに転送するベースバンド処理ユニットとを備える、ワイヤレス通信システムにおける移動端末。
【請求項１１】
前記制御ユニットが受信されるべき信号および送信されるべき信号に基づき対応する帯域の制御情報を生成する移動端末であって、
前記制御情報に従って、前記対応する信号を前記対応する帯域の伝搬パスと前記対応するモードの伝搬パスとの間で転送するために、前記対応する帯域の伝搬パスにスイッチングする帯域スイッチング・ユニットと、
前記制御情報に従って、前記対応する帯域の伝搬パスから転送された信号をそれに応じてＲＦ処理する前記ＲＦ処理ユニットとをさらに備える、請求項１０記載の移動端末。
【請求項１２】
前記ＲＦ処理ユニットが、
前記帯域スイッチング・ユニットから前記ＲＦ信号を送信するために、前記ベースバンド処理ユニットからの送信されるべき信号をＲＦ処理するＴｘ信号処理モジュールと、
前記対応するモードの伝搬パスから転送された受信された信号をＲＦ処理する、異なる帯域に対応する複数のＲｘ  ＲＦ処理ユニットと、
前記制御情報に従って、前記対応する帯域の前記Ｒｘ  ＲＦ処理ユニットからのＲＦ信号を受信するＲｘ帯域スイッチング・ユニットと、
前記Ｒｘ帯域スイッチング・ユニットからのＲＦ信号を復調し、復調された信号を前記ベースバンド処理ユニットに出力する復調モジュールとを備える、請求項１１記載の移動端末。
【請求項１３】
前記制御ユニットが、受信されるべき信号および送信されるべき信号に基づき対応する帯域の制御情報を生成する移動端末であって、
前記制御情報に従って、前記対応する信号を前記対応する帯域の伝搬パスと前記対応するモードの伝搬パスとの間で転送するために、前記対応する帯域の伝搬パスにスイッチングする帯域スイッチング・ユニットと、
前記制御情報に従って、前記帯域スイッチング・ユニットから前記ＲＦ信号を送信するために、送信されるべき信号を対応する帯域でＲＦ処理する前記ＲＦ処理ユニットとをさらに備える、請求項１０記載の移動端末。
【請求項１４】
前記ＲＦ処理ユニットが、
前記帯域スイッチング・ユニットから転送された受信された信号をＲＦ処理して、それらを前記ベースバンド処理ユニットに出力するＲｘ信号処理モジュールと、
前記制御情報に従って、前記ベースバンド処理ユニットからの送信されるべきＲＦ信号をＲＦ信号に変調する変調モジュールと、
前記帯域スイッチング・ユニットから前記ＲＦ信号を送信するために、前記Ｔｘ帯域スイッチング・ユニットからの変調された信号を対応する帯域でＲＦ処理する、異なる帯域に対応する複数のＴｘ  ＲＦ処理ユニットとを備える、請求項１３記載の移動端末。
【請求項１５】
前記復調モジュールが、
前記制御情報に従って、対応する帯域の局部発振信号を生成する局部発振生成ユニットと、
前記局部発振信号を利用することによって、前記Ｒｘ帯域スイッチング・ユニットからのＲＦ信号を復調し、復調された信号を前記ベースバンド処理ユニットに出力する復調ユニットとを備える、請求項２、６および１２のいずれか１項記載の移動端末。
【請求項１６】
前記変調モジュールが、
前記制御情報に従って、対応する帯域の局部発振信号を生成する局部発振生成ユニットと、
前記局部発振信号を利用することによって、前記ベースバンド処理ユニットからの送信されるべき信号をＲＦ信号に変調する変調ユニットとを備える、請求項３、５および１４のいずれか１項記載の移動端末。
【請求項１７】
前記局部発振生成ユニットが、
周波数信号を生成する周波数合成器と、
前記制御ユニットの制御情報に従って、前記周波数信号を分割して、対応する帯域の前記局部発振信号を得る周波数スプリッタとを備える、請求項１５または１６記載の移動端末。
【請求項１８】
前記周波数合成器が約４ＧＨｚの周波数の信号を生成する、請求項１７記載の移動端末。
【請求項１９】
前記モード・スイッチング・ユニットが、
前記制御情報に従って、前記対応する帯域の伝搬パスを前記対応するモードの伝搬パスにスイッチングする、対応する帯域のモード・スイッチング・ユニットと、
前記制御情報に従って、対応する信号を前記帯域スイッチング・ユニットと前記ＲＦ処理ユニットとの間で転送するために、前記対応するモードの伝搬パスからの前記対応する信号を前記対応するモードで処理する複数のモードＴＲｘ処理ユニットとを備える、請求項１１から１４のいずれか１項記載の移動端末。
【請求項２０】
前記モードＴＲｘ処理ユニットが、少なくともＴＤＤモードＴＲｘスイッチング・ユニットとＦＤＤモード二重ユニットとを含む、請求項１９記載の移動端末。
【請求項２１】
受信されるべき無線信号に従って、受信された信号に対応する帯域を決定すること、
決定された帯域に従って、受信された信号を対応する帯域でＲＦ処理すること、および
ＲＦ処理済みの信号をベースバンド処理することを含む、ワイヤレス通信システムにおける移動端末のための通信方法。
【請求項２２】
送信されるべき信号に対応する帯域を決定すること、
決定された帯域に従って、ベースバンド処理された信号を対応する帯域でＲＦ処理すること、および
前記帯域に対応するＲＦ信号を送信することをさらに含む、請求項２１記載の方法。
【請求項２３】
受信されるべき信号および送信されるべき信号に対応するモードを決定すること、および
決定されたモードに従って、受信された信号および送信されるべき信号を転送することをさらに含む、請求項２１または２２記載の方法。
【発明の詳細な説明】
【技術分野】
【０００１】
本発明は、一般にワイヤレス通信システムで使用される移動端末に関し、より詳細には、ワイヤレス通信システムで使用されマルチバンドおよびマルチモードで動作することができる移動端末に関する。
【背景技術】
【０００２】
ＧＳＭやＣＤＭＡ（ＩＳ９５）などこれまでなお運用されている２Ｇモバイル通信ネットワークは、９００  ＭＨｚまたは１８００  ＭＨｚで動作し、ＧＳＭはＴＤＤモードで、ＣＤＭＡ（ＩＳ９５）はＦＤＤモードで動作する。システム性能およびシステム容量に対する要求が高くなるにつれて、既存の２Ｇモバイル通信システムは徐々に３Ｇモバイル通信システムへと移行している。
【０００３】
３Ｇ通信システムは約２０００  ＭＨｚで動作し、ＷＣＤＭＡ、ＣＤＭＡ２０００およびＴＤ−ＳＣＤＭＡの３種類のメインストリームに分類することができ、ＷＣＤＭＡとＣＤＭＡ２０００はＦＤＤモードで、ＴＤ−ＳＣＤＭＡはＴＤＤモードで動作する。今日では、ＴＤ−ＳＣＤＭＡが低チップ・レートのＴＤＤオプションとして３ＧＰＰによって受け入れられており、全体的な性能が高チップ・レートのオプションであるＷＣＤＭＡと類似している。
【０００４】
従来のネットワーク・システムは長い期間にわたって確立されており、したがって新しいネットワーク・システムよりも適切なカバレッジを提供することができ、新しいネットワーク・システムと従来のネットワーク・システムとが長い間共存すると、新しい移動端末が新しいネットワークのカバレッジ・エリアにおいても従来のネットワークのカバレッジ・エリアにおいてもうまく動作することが必要になる。しかし、各通信システムは、異なるエア・インターフェイス・プロトコル、動作モードおよび動作周波数を有しており、既存の移動端末は変更を加えなければ、この要求を満たすことができない。
【０００５】
デュアル・モードの移動端末がすでに売り出されているが、２００１年に３Ｇ標準に加わったＴＤ−ＳＣＤＭＡ、特に異なる周波数およびモードで動作するという問題を無視している。そのため、２Ｇモバイル通信システムでも３Ｇモバイル通信システムでも動作できる移動端末を提供することが大いに求められている。
【発明の開示】
【発明が解決しようとする課題】
【０００６】
本発明の一目的は、ワイヤレス通信システムで使用されるマルチモードおよびマルチバンドの移動端末を提供することであり、この移動端末は、２Ｇネットワークとも３Ｇネットワークとも通信できるコンポーネントを統合することによって、様々な通信システムと、特にＧＳＭ、ＣＤＭＡ（ＩＳ９５）、ＴＤＤに基づくＴＤ−ＳＣＤＭＡおよびＦＤＤに基づくＷＣＤＭＡシステムと通信を行うことができる。
【０００７】
本発明の他の目的は、ワイヤレス通信システムで使用されるマルチモードおよびマルチバンドの移動端末を提供することであり、この移動端末は、いくつかのコンポーネントを異なるモードおよび異なる周波数で共用することによって、製造コストを節約し保全性（integrity）を向上することができ、スイッチング・ユニット、二重ユニットおよび制御ユニットを利用することによって、マルチバンドおよびマルチモードのより柔軟な選択を実現する。
【課題を解決するための手段】
【０００８】
本発明による、ワイヤレス通信システムで使用されるように提案される移動端末は、受信された信号および送信されるべき信号に対応する帯域に従って制御情報を生成する制御ユニットと、その制御情報に従って、対応する帯域の伝搬パスにスイッチングして対応する信号を転送する帯域スイッチング・ユニットと、制御情報に従って、対応する帯域の伝搬パスを介して転送された受信された信号をＲＦ処理し、送信されるべき信号をＲＦ処理し、次いで処理済みの信号を帯域スイッチング・ユニットを介して送信するＲＦ処理ユニットと、制御情報に従って、ＲＦ処理ユニットからのＲＦ信号をベースバンド信号に変換し、送信されるべきベースバンド信号をＲＦ処理用のＲＦ処理ユニットに転送するベースバンド処理ユニットとを備える。
【０００９】
本発明による、ワイヤレス通信システムで使用されるように提案される移動端末は、受信された信号および送信されるべき信号に対応する帯域に従って制御情報を生成する制御ユニットと、その制御情報に従って、対応する帯域の伝搬パスにスイッチングして対応する信号を転送する帯域スイッチング・ユニットと、帯域スイッチング・ユニットから転送された信号をＲＦ処理し、帯域スイッチング・ユニットからＲＦ信号を送信するために、制御情報に従って、対応する帯域で送信される信号をＲＦ処理するＲＦ処理ユニットと、制御情報に従って、ＲＦ処理ユニットからのＲＦ信号をベースバンド信号に変換し、送信されるべきベースバンド信号をＲＦ処理用のＲＦ処理ユニットに転送するベースバンド処理ユニットとを備える。
【００１０】
本発明による、ワイヤレス通信システムで使用されるように提案される移動端末は、受信された信号および送信されるべき信号に対応するモードに従って制御情報を生成する制御ユニットと、その制御情報に従って、対応するモードの伝搬パスにスイッチングして対応する信号を転送するモード・スイッチング・ユニットと、対応するモードの伝搬パスから転送された受信された信号をＲＦ処理し、送信されるべき信号をＲＦ処理し、次いで対応するモードの伝搬パスからＲＦ信号を送信するＲＦ処理ユニットと、前記ＲＦ処理ユニットからのＲＦ信号をベースバンド信号に変換し、送信されるべきベースバンド信号をＲＦ処理用のＲＦ処理ユニットに転送するベースバンド処理ユニットとを備える。
【００１１】
本発明による、ワイヤレス通信システムでＵＥによって実行されるように提案される通信方法は、受信された無線信号に従って、受信された信号に対応する帯域を決定すること、決定された帯域に従って、受信された信号を対応する帯域でＲＦ処理すること、およびＲＦ処理済みの信号をベースバンド処理することを含む。
【００１２】
本発明のこの実施形態によれば、この方法はさらに、送信されるべき信号に対応する帯域を決定すること、決定された帯域に従って、ベースバンド処理された信号を対応する帯域でＲＦ処理すること、および前記帯域に対応するＲＦ信号を送信することを含む。
【００１３】
本発明のこの実施形態によれば、この方法はさらに、受信された信号および送信されるべき信号に対応するモードを決定すること、および決定されたモードに従って、受信された信号および送信されるべき信号を転送することを含む。
【発明を実施するための最良の形態】
【００１４】
図１に、本発明で提案される移動端末の実施形態を示す。
【００１５】
図１に示されているように、信号を受信するとき、アンテナ１０を介して受信されたＲＦ信号は、ハイパス・フィルタ（ＨＰＦ）とローパス・フィルタ（ＬＰＦ）とからなる帯域スイッチング・ユニット２０に転送される。制御ユニット１８０からの指示が、受信された信号が高周波数（ＨＦ）信号である（例えば、受信された信号の周波数が１５００  ＭＨｚより高い）ことを示すとき、受信された信号は、帯域スイッチング・ユニット２０を介してＨＦモード・スイッチング・ユニット３０に転送され、制御ユニット１８０からの指示が、受信された信号が低周波数（ＬＦ）信号である（例えば、受信された信号の周波数が１０００  ＭＨｚより低い）ことを示すとき、受信された信号は、帯域スイッチング・ユニット２０を介してＬＦ帯域スイッチング・ユニット４０に転送される。
【００１６】
その後、受信された信号は、制御ユニット１８０からの制御命令に従って、対応するモード選択スイッチング・ユニットに転送される。すなわち、入力信号がＨＦ信号である場合は、制御命令が、現在信号を受信する動作モードがＴＤＤであることを示すとき、受信された信号はＨＦ  ＴＤＤモード送受信スイッチング・ユニット５０に転送され、ＦＤＤであるときはＨＦ  ＦＤＤモード二重ユニット６０に転送され、入力信号がＬＦ信号である場合は、制御命令が、現在信号を受信する動作モードがＴＤＤであることを示すとき、受信された信号はＬＦ  ＴＤＤモード送受信スイッチング・ユニット７０に転送され、ＦＤＤであるときはＬＦ  ＦＤＤモード二重ユニット８０に転送される。
【００１７】
受信された信号がＨＦ  ＴＤＤモード送受信スイッチング・ユニット５０またはＨＦ  ＦＤＤモード二重ユニット６０を介して入力された場合、受信された信号は、ＲＦフィルタ８、低雑音増幅器（ＬＮＡ）１４およびＢＰＦ１８からなるＨＦ  Ｒｘ  ＲＦ処理ユニット１１０に入力され、ＨＦ  Ｒｘ  ＲＦ処理ユニット１１０によって処理された入力信号は、ＲＦフィルタ８とＢＰＦ１８によってフィルタリングされＬＮＡ１４によって増幅された後、Ｒｘ帯域スイッチング・ユニット１４０に転送される。受信された信号がＬＦ  ＴＤＤモード送受信スイッチング・ユニット７０またはＬＦ  ＦＤＤモード二重ユニット８０を介して入力された場合、受信された信号は、ＲＦフィルタ１２、ＬＮＡ１６およびＢＰＦ２１からなるＬＦ  Ｒｘ  ＲＦ処理ユニット１２０に入力され、ＬＦ  Ｒｘ  ＲＦ処理ユニット１２０によって処理された入力信号は、ＲＦフィルタ１２とＢＰＦ２１によってフィルタリングされＬＮＡ１６によって増幅された後、Ｒｘ帯域スイッチング・ユニット１４０に転送される。
【００１８】
制御ユニット１８０からの制御命令の指示によって、ＨＦ  Ｒｘ  ＲＦ処理ユニット１１０またはＬＦ  Ｒｘ  ＲＦ処理ユニット１２０によって処理された信号は、Ｒｘ帯域スイッチング・ユニット１４０を介して自動ゲイン制御（ＡＧＣ）２７０に転送される。
【００１９】
制御ユニット１８０からの制御命令の指示によって、ＡＧＣ２７０によって増幅された信号は、復調ユニット２３０、Ｒｘ局部発振（ＬＯ）生成ユニット２５０およびＲｘベースバンド・ユニット２１０から構成されるＲｘ処理ユニット１６０に入力される。Ｒｘ処理ユニット１６０は異なるモードおよび異なる周波数の受信された信号によって共用され得る。Ｒｘ処理ユニット１６０で、ＡＧＣ２７０によって増幅された入力信号は、ミキサ２８および２９、分割器３７および位相シフタ３２から構成される復調用の復調ユニット２３０に転送される。復調ユニット２３０によって使用されるＬＯはＲｘ  ＬＯ生成ユニット２５０によって供給される。Ｒｘ  ＬＯ生成ユニット２５０では、参照クロック３９に基づき周波数合成器（ＦＳ）３６によって出力された周波数信号が、制御ユニット１８０によって制御される分割器３４によって分割された後、受信された信号に対応するＬＯ信号を位相シフタ３２に提供する。復調された信号すなわちＩ＆Ｑ信号は、Ｒｘベースバンド・ユニット２１０内のアナログＬＰＦ４３および４４、ＡＧＣ４８および４９、ＡＤＣ５２および５３を介してデジタル処理ユニット１７０に入力される。
【００２０】
デジタル処理ユニット１７０で、Ｒｘ処理ユニット１６０によって獲得されたベースバンド・デジタル同相信号および直交位相信号は、デジタル・フィルタ５６および５７によってフィルタリングされた後さらに処理される。
【００２１】
以上、本発明で提供される移動端末の、信号を受信するときの各コンポーネント間の協調関係について図１に関して説明してきた。以降、信号を送信するときの移動端末の各コンポーネント間のコラボレーション関係について図１に関して説明する。
【００２２】
図１にもっとも適切に示されているように、信号を送信するとき、制御ユニット１８０はまずその信号を送信するための動作モードと周波数帯域、すなわちＴＤＤモードで通信するかＦＤＤモードで通信するか、２Ｇ  ＬＦ搬送波を採用するか３Ｇ  ＨＦ搬送波を採用するかを決定する。
【００２３】
その後、送信されるべきベースバンド・デジタル同相信号および直交位相信号すなわちＩ＆Ｑ信号が、デジタル処理ユニット１７０内のデジタル・フィルタ５４および５５によってフィルタリングされた後、Ｔｘベースバンド・ユニット２００、変調ユニット２２０およびＴｘ  ＬＯ生成ユニット２４０から構成されるＴｘ処理ユニット１５０に転送される。
【００２４】
Ｔｘ処理ユニット１５０は、異なるモードおよび異なる周波数の送信信号によって共用され得る。Ｔｘ処理ユニット１５０で、ベースバンド・デジタルＩ＆Ｑ信号はそれぞれ、順にＴｘベースバンド・ユニット２００内のＤＡＣ７１および５１、ＡＧＣ４６および４７、ベースバンド・フィルタ４１および４２によって処理されて、ベースバンド・アナログＩ＆Ｑ信号が生成される。次いで、ベースバンド・アナログＩ＆Ｑ信号が、ミキサ２５および２６、コンバイナ２７および位相シフタ３１からなる変調用の変調ユニット２２０に入力される。変調ユニット２２０によって使用されるＬＯはＴｘ  ＬＯ生成ユニット２４０によって提供され、Ｔｘ  ＬＯ生成ユニット２４０内では、ＦＳ  ３５が参照クロック３９に基づき周波数信号を出力し、制御ユニット１８０によって制御される分割器３３によって分割された後、ＨＦ  ＬＯ信号またはＬＦ  ＬＯ信号を位相シフタ３１に出力する。変調ユニット２２０によって変調された信号はＡＧＣ２６０に転送される。
【００２５】
制御ユニット１８０からの制御命令の指示によって、ＡＧＣ２６０によって増幅された信号はＴｘ帯域スイッチング・ユニット１３０に転送される。復調された信号の帯域に応じて、送信されるべき信号は、Ｔｘ帯域スイッチング・ユニット１３０を介してＨＦ  Ｔｘ  ＲＦ処理ユニット９０またはＬＦ  Ｔｘ  ＲＦ処理ユニット１００に転送される。変調された送信されるべき信号がＨＦ信号である場合は、それぞれＨＦ  Ｔｘ  ＲＦ処理ユニット９０内のＴｘ  ＢＰＦ  １７およびＲＦ  ＢＰＦ  ９によって順にフィルタリングされ電力増幅器１３によって増幅された後、送信されるべき信号は、ＨＦ  ＴＤＤモード送受信スイッチング・ユニット５０またはＨＦ  ＦＤＤモード二重ユニット６０に転送される。すなわち、ＴＤＤモードであるときは、制御ユニット１８０の制御下で、送信されるべき信号はＨＦ  ＴＤＤモード送受信スイッチング・ユニット５０に転送され、ＦＤＤモードであるときは、制御ユニット１８０の制御下で、送信されるべき信号はＨＦ  ＦＤＤモード二重ユニット６０に転送される。ＨＦ  ＴＤＤモード送受信スイッチング・ユニット５０またはＨＦ  ＦＤＤモード二重ユニット６０によって転送された信号は、ＨＦモード・スイッチング・ユニット３０を通過した後、帯域スイッチング・ユニット２０を介してアンテナ・ユニット１０によって送信される。
【００２６】
変調された送信されるべき信号がＬＦ信号である場合は、それぞれＬＦ  Ｔｘ  ＲＦ処理ユニット１００内のＴｘ  ＢＰＦ  １９およびＲＦ  ＢＰＦ  １１によって順にフィルタリングされ電力増幅器１５によって増幅された後、送信されるべき信号は、ＬＦ  ＴＤＤモード送受信スイッチング・ユニット７０またはＬＦ  ＦＤＤモード二重ユニット８０に転送される。すなわち、ＴＤＤモードであるときは、制御ユニット１８０の制御下で、送信されるべき信号はＬＦ  ＴＤＤモード送受信スイッチング・ユニット７０に転送され、ＦＤＤモードであるときは、制御ユニット１８０の制御下で、送信されるべき信号はＬＦ  ＦＤＤモード二重ユニット８０に転送される。ＬＦ  ＴＤＤモード送受信スイッチング・ユニット７０またはＬＦ  ＦＤＤモード二重ユニット８０によって転送された信号は、ＬＦモード・スイッチング・ユニット４０を通過した後、帯域スイッチング・ユニット２０を介してアンテナ・ユニット１０によって送信される。
【００２７】
本発明の実施形態では、制御ユニット１８０は独立したモジュールであってもデジタル処理ユニット１７０内のコンポーネントであってもよい。信号を送受信する通信プロセス中、制御ユニット１８０は制御インターフェイス１９０によって他のユニットのオペレーションを制御する。
【００２８】
本発明の実施形態では、ＨＦ  ＴＤＤモード送受信スイッチング・ユニットおよびＬＦ  ＴＤＤモード送受信スイッチング・ユニットは、無線信号を送受信するプロセス中の様々なときに、対応するＲｘパスおよびＴｘパスにスイッチングされる。ＨＦ  ＦＤＤモード二重ユニットおよびＬＦ  ＦＤＤモード二重ユニットは、無線信号を送受信するプロセス中、受信された無線信号および送信されるべき信号を対応するＲｘパスおよびＴｘパスに転送する。
【００２９】
さらに、本発明の実施形態では、ＦＳ３５および３６は約４  ＧＨｚの周波数の信号を生成することができ、４  ＧＨｚ信号が二分割される場合は分割器３３および３４は約２  ＧＨｚの周波数の直交搬送波を得ることができ、４  ＧＨｚ信号が四分割される場合は約９００  ＭＨｚの周波数の直交搬送波を得ることができる。このようにして、搬送波漏れの問題が実際に解決され、それによって理想的な搬送波が提供される。
【００３０】
以上、本発明によって提供される移動端末の、信号を送受信するオペレーションについて図１に関して説明してきたが、アンテナのフロント・エンドの近くでの、異なる動作モードに対応する信号伝搬パスへのスイッチングは、ＨＦモード・スイッチング・ユニット３０、ＬＦモード・スイッチング・ユニット４０、ＨＦ  ＴＤＤモード送受信スイッチング・ユニット５０、ＬＦ  ＴＤＤモード送受信スイッチング・ユニット７０、ＨＦ  ＦＤＤモード二重ユニット６０およびＬＦ  ＦＤＤモード二重ユニット８０から構成されるモード・スイッチング・ユニットを制御することによって達成することができる。そのため、本発明における移動端末は、マルチモード通信システムにおいてその動作モードを柔軟に選択することができる。さらに、本発明における移動端末は、帯域スイッチング・ユニット２０、およびＨＦ  Ｒｘ  ＲＦ処理ユニット１１０、ＬＦ  Ｒｘ  ＲＦ処理ユニット１２０、Ｒｘ帯域スイッチング・ユニット１４０、復調ユニット２３０およびＲｘ  ＬＯ生成ユニット２５０から構成される、ＲＦ処理ユニット内のＲｘ信号処理モジュールによって、異なる周波数帯域の無線信号を受信することができる。本発明における移動端末は、帯域スイッチング・ユニット２０、およびＨＦ  Ｔｘ  ＲＦ処理ユニット９０、ＬＦ  Ｔｘ  ＲＦ処理ユニット１００、Ｔｘ帯域スイッチング・ユニット１３０、変調ユニット２２０およびＴｘ  ＬＯ生成ユニット２４０から構成される、ＲＦ処理ユニット内のＴｘ信号処理モジュールによって、異なる周波数帯域の無線信号を送信することができる。
【００３１】
さらに、本発明で説明した移動端末では、ベースバンド処理ユニットは異なる帯域および異なる動作モードの無線信号によって共用され得、ＲＦ処理ユニットは異なるモードの無線信号によって共用され得、そのため、本発明で提供される移動端末は製造コストを大いに節約し保全性を改善することができる。
【図面の簡単な説明】
【００３２】
【図１】本発明で提案される移動端末が信号を送受信する実施形態を示す図である。
【図１】
2007502083.tif 000003
【国際調査報告】
2007502083.tif 000004
2007502083.tif 000005